(57)【要約】【課題】気体を吸収する固形物を収容できる容器であって、外部との間の通気性を確保しつつ、径の小さい或いは径が小さくなるような固形物を漏れないように収容できる容器を提供する。【解決手段】容器１は、開口した入口部２０を有する容器本体１０と、入口部２０にその外側から嵌め込まれ、入口部の開口を閉鎖する蓋体１１を有している。容器本体１０の入口部２０の外周面には、当該外周面の周方向に沿った環状の第１の突条部３０が形成されている。蓋体１１の内周面には、当該内周面の周方向に沿った環状の第２の突条部４０が形成されている。第２の突条部４０が第１の突条部３０よりも容器本体１０の底側に位置して第１の突条部３０と第２の突条部４０が互いに係合することによって容器本体１０と蓋体１１が嵌合する。例えば第１の突条部３０には切欠き５０が形成され、容器１の外部と内部が切欠き５０を通じて通気可能になる。【選択図】図５
2015003753.tif 000002
【特許請求の範囲】
【請求項１】
気体を吸収する固形物を収容する容器であって、
開口した入口部を有する容器本体と、
前記入口部にその外側から嵌め込まれ、前記入口部の開口を閉鎖する蓋体と、を有し、
前記容器本体の入口部の外周面には、当該外周面の周方向に沿った環状の第１の突条部が形成され、前記蓋体の内周面には、当該内周面の周方向に沿った環状の第２の突条部が形成され、前記第２の突条部が前記第１の突条部よりも前記容器本体の底側に入って前記第１の突条部と前記第２の突条部が互いに係合することによって前記容器本体と前記蓋体が嵌合し、
前記第１の突条部又は前記第２の突条部の少なくともいずれかには、当該突条部を切断する切欠きが形成され、容器の外部と内部が前記切欠きを通じて通気可能に構成されている、容器。
【請求項２】
前記第１の突条部は、平坦な下面を有し、
前記第２の突条部は、前記第１の突条部の下面に係合する平坦な上面を有する、請求項１に記載の容器。
【請求項３】
前記第１の突条部は、前記下面の外側縁から上方に行くにつれて次第に径が小さくなるテーパ状の側面を有する、請求項２に記載の容器。
【請求項４】
前記第２の突条部は、前記上面の内側縁から下方に行くにつれて次第に径が小さくなるテーパ状の側面を有する、請求項２又は３に記載の容器。
【請求項５】
請求項１〜４のいずれかに記載の容器に、気体を吸収する固形物を収容した固形物含有容器。
【請求項６】
前記固形物が、気体を吸収して体積が膨張するものである、請求項５に記載の固形物含有容器。
【請求項７】
前記固形物が、乾燥剤及び／又は酸素吸収剤である、請求項５又は６に記載の固形物含有容器。
【発明の詳細な説明】
【技術分野】
【０００１】
本発明は、水蒸気などの気体を吸収する固形物を収容する容器、及び固形物含有容器に関する。
【背景技術】
【０００２】
例えば食品、医薬品、医療品、化粧品、金属製品、電子製品などの酸化や吸湿による劣化を防止するため、それらの製品の包装体には、乾燥剤や酸素吸収剤が一緒に入れられる。製品の包装体は、用途に応じて袋状のものやボトル状のものがあるが、ボトル状のものの場合は、入口が狭いため、乾燥剤や酸素吸収剤は、投入し難い袋状のものではなく、一定形状を有する小型の容器（キャニスター容器）に入れられて用いられている（特許文献１参照）。乾燥剤や酸素吸収剤は、製品の包装体内の水蒸気や酸素などの気体を吸収して除去するものであるため、このキャニスター容器は、外部との間で通気性があることが必須となる。
【先行技術文献】
【特許文献】
【０００３】
【特許文献１】特開２００３−３１２７２９号公報
【発明の概要】
【発明が解決しようとする課題】
【０００４】
ところで、上述のキャニスター容器には、図１２（ａ）、（ｂ）に示すように紙蓋型のものと通気孔蓋型のものがある。図１２（ａ）に示す紙蓋型の容器１００は、容器本体１０１が樹脂成型され、蓋１０２が通気性のあるボール紙になっている。乾燥剤や酸素吸収剤などの固形物Ａを収容する際には、容器本体１０１に過充填して圧縮し蓋１０２を載せ、その後容器本体１０１の上端の爪部１０３を内側に曲げて蓋１０２を挟み込んで固定している。この紙蓋型の容器１００は、蓋１０２の固定時に容器本体１０１が歪まないように、固形物Ａをフル充填する必要があるため、酸化カルシウムのように、水蒸気を含んだ外気と接触した時に当該水蒸気と反応して体積が膨張する固形物には使用できない。
【０００５】
一方、図１２（ｂ）に示す通気孔蓋型の容器２００は、容器本体２０１と蓋２０２が樹脂成型され、互いに嵌合されている。容器本体２０１の底部と蓋２０２には、通気孔２０３が開けられている。この通気孔蓋型の容器２００は、固形物Ａをフル充填する必要がないため、水蒸気と反応して体積が膨張する固形物にも使用できるが、上下に通気孔が開いているため、径が小さい固形物や、割れて微粉になるような固形物は通気孔から漏れる可能性があるため使用できない。
【０００６】
本発明は、かかる点に鑑みてなされたものであり、気体を吸収する固形物、特に水蒸気などの気体を吸収して膨張する固形物を収容する容器であって、外部との間の通気性を確保しつつ、径の小さい或いは径が小さくなるような固形物を漏れないように収容できる容器、及び固形物含有容器を提供することを目的とする。
【課題を解決するための手段】
【０００７】
本発明は、気体を吸収する固形物を収容する容器であって、開口した入口部を有する容器本体と、前記入口部にその外側から嵌め込まれ、前記入口部の開口を閉鎖する蓋体と、を有し、前記容器本体の入口部の外周面には、当該外周面の周方向に沿った環状の第１の突条部が形成され、前記蓋体の内周面には、当該内周面の周方向に沿った環状の第２の突条部が形成され、前記第２の突条部が前記第１の突条部よりも前記容器本体の底側に入って前記第１の突条部と前記第２の突条部が互いに係合することによって前記容器本体と前記蓋体が嵌合し、前記第１の突条部又は前記第２の突条部の少なくともいずれかには、当該突条部を切断する切欠きが形成され、容器の外部と内部が前記切欠きを通じて通気可能に構成されている容器である。
【０００８】
上記の構成によれば、気体を吸収する固形物を収容でき、外部との間の通気性を確保しつつ、径の小さい或いは径が小さくなるような固形物を漏れないように収容できる。
【０００９】
前記容器における前記第１の突条部は、平坦な下面を有し、前記第２の突条部は、前記第１の突条部の下面に係合する平坦な上面を有していてもよい。かかる場合、第１の突条部と第２の突条部の係合を適切に行うことができる。
【００１０】
前記第１の突条部は、前記下面の外側縁から上方に行くにつれて次第に径が小さくなるテーパ状の側面を有していてもよい。かかる場合、蓋体の内周面と容器本体の外周面との間の隙間が広くなるので、容器の外部と内部の間の通気性が向上する。また、第１の突条部の強度が向上する。
【００１１】
前記第２の突条部は、前記上面の内側縁から下方に行くにつれて次第に径が小さくなるテーパ状の側面を有していてもよい。かかる場合、蓋体の内周面と容器本体の外周面との間の隙間が広くなるので、容器の外部と内部の間の通気性が向上する。また、第２の突条部の強度が向上する。
【００１２】
また、別の観点による本発明は、上記容器に前記固形物を収容した固形物含有容器である。
【００１３】
前記固形物が、気体を吸収して体積が膨張するものであってもよい。また、前記固形物は、乾燥剤及び／又は酸素吸収剤であってもよい。
【発明の効果】
【００１４】
本発明によれば、気体を吸収する固形物を収容できる容器であって、外部との間の通気性を確保しつつ、径の小さい或いは径が小さくなるような固形物を漏れないように収容できる容器を提供できる。
【図面の簡単な説明】
【００１５】
【図１】容器の概略を示す斜視図である。
【図２】容器の構成を示す縦断面の説明図である。
【図３】容器本体の上面図である。
【図４】蓋体の下面図である。
【図５】蓋体を容器本体に取り付けた状態の縦断面図である。
【図６】第２の突条部がテーパ状の側面を有する場合の容器の縦断面図である。
【図７】第１の突条部が垂直の側面を有する場合の容器の縦断面図である。
【図８】第１の突条部が垂直の側面を有し、第２の突条部がテーパ状の側面を有する場合の容器の縦断面図である。
【図９】第１の突条部に切欠きを設けた場合の容器の縦断面図である。
【図１０】第１の突条部に切欠きを設けた場合の蓋体の下面図である。
【図１１】第１の突条部と第２の突条部に切欠きを設けた場合の容器の縦断面図である。
【図１２】（ａ）は、紙蓋型の容器を示し、（ｂ）は、通気孔蓋型の容器を示す。
【発明を実施するための形態】
【００１６】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はその実施の形態のみに限定されるものではない。
【００１７】
図１は、本実施の形態における容器１の構成の概略を示す斜視図であり、図２は、容器１の容器本体１０と蓋体１１の縦断面図である。なお、本願明細書において、容器１の底側を下側とし、容器１の蓋側を上側とする。
【００１８】
図１に示すように容器１は、例えば円柱状の外形を有し、固形物Ａを収容する容器本体１０と、その容器本体１０の蓋体１１を有している。
【００１９】
図２に示すように容器本体１０の上部には、上面が開口した円筒状の入口部２０が形成されている。入口部２０は、例えば容器本体１０の基部（入口部２０よりも下側の部分）２１よりも小さい外径を有している。入口部２０の内径は、基部２１と同じ内径を有し、容器本体１０全体は一定の内径を有している。入口部２０の外周面には、後述の蓋体１１の第２の突条部４０と係合する環状の第１の突条部３０が形成されている。
【００２０】
第１の突条部３０は、例えば平坦な下面３０ａと、下面３０ａの外側縁から上方に行くにつれて次第に径が小さくなるテーパ状の側面３０ｂを有している。例えば側面３０ｂのテーパは、入口部２０の上端面２０ａまで形成されている。第１の突条部３０は、例えば図３に示すように入口部２０の外周面の周方向に切れ目なく形成されている。なお、平坦な下面３０ａには、加工精度等の観点から僅かに斜めになっていたり、凹凸があったり、角部が欠けているものも含まれる。
【００２１】
蓋体１１は、図２に示すように下面側が開口し上面側が閉鎖された円筒状に形成されている。蓋体１１の内周面には、第２の突条部４０が環状に形成されている。第２の突条部４０は、例えば平坦な上面４０ａ及び下面４０ｂと、上面４０ａ及び下面４０ｂの内側（容器１の中心側）縁を互いに接続する垂直な側面４０ｃを有している。上面４０ａは、蓋体１１を容器本体１０の入口部２０に嵌め込んだときに容器本体１０の第１の突条部３０の下面３０ａと係合する。この上面４０ａの径方向の長さは、第１の突条部３０の下面３０ａの径方向の長さと同程度であってもよいし、よりも長くてもよい。なお、平坦な上面４０ａ、下面４０ｂ及び垂直な側面４０ｃには、加工精度の観点から僅かに傾斜していたり、凹凸があったり、角部が欠けているものも含まれる。
【００２２】
図４に示すように第２の突条部４０には、当該第２の突条部４０を切断する切欠き５０が形成されている。切欠き５０は、それぞれ例えば５〜６０度、好ましくは１０〜４５度の角度の円弧幅を有し、複数個所（例えば４か所）に等間隔に形成されている。図５に示すようにこの切欠き５０を介して、容器１の外部と内部が連通する。なお、図５の容器１には、切欠き５０のある側部を左側に、切欠き５０のない側部を右側に示している。
【００２３】
蓋体１１を容器本体１０に嵌め込んだ時に、蓋体１１の下端１１ａと容器本体１０の基部２１の上端２１ａとの間、及び蓋体１１の天井面１１ｂと容器本体１０の入口部２０の上端２０ａとの間には、０．００１ｍｍ〜１．０ｍｍ程度の僅かな隙間ｄが形成されている。この隙間は、意図的に形成されたものであってもよいし、加工精度から偶然形成されたものであってもよいが、固形物Ａの粒径よりは狭い。隙間ｄは０．０１ｍｍ〜０．９ｍｍが好ましく、０．１ｍｍ〜０．８ｍｍがより好ましく、０．２ｍｍ〜０．５ｍｍが特に好ましい。前記好ましい範囲内とすることで、径の小さい或いは径が小さくなるような固形物Ａの漏れを防止しつつ外部との通気性をより高める事が出来る。
【００２４】
容器１の寸法は、例えば高さが５ｍｍ〜１００ｍｍ、好ましくは１０ｍｍ〜１００ｍｍであり、外径が５ｍｍ〜５０ｍｍ、好ましくは８ｍｍ〜３０ｍｍ、厚みは０．３ｍｍ〜２．０ｍｍ、好ましくは０．５ｍｍ〜１．５ｍｍである。また、容器１の材質は、特に限定されないが、ポリオレフィンに代表される熱可塑性樹脂が好ましく、取扱いや安全性の点から、ポリエチレン、ポリプロピレンが特に好ましい。
【００２５】
固形物Ａは、気体を吸収するものであれば特に限定されないが、水蒸気と反応して膨張する乾燥剤や酸素吸収剤であるのが好ましい。また、固形物Ａの大きさは特に限定されず、粒径が０．１ｍｍ以下の粉体や粒径が０．１〜１０ｍｍ程度の粒体を用いることが出来るし、前記粉体や粒体を錠剤等の形状に成型した成型体を用いることも出来る。粉体や粒体の粒径としては、特に限定されないが、容器１に投入時に０．１μｍ〜３０００μｍのものが好ましく、１μｍ〜１５００μｍのものがより好ましく、さらに５μｍ〜１０００μｍのものがより好ましい。
【００２６】
乾燥剤の種類に特に制限はないが、水分を吸着するとともに、水分吸着後も固体状態を保持できるものが好ましい。本容器では、水蒸気と反応して膨張したり微細化する乾燥剤でも好適に用いることが出来る。このような乾燥剤として、例えば、ＭｇＯ、ＣａＯ、ＢａＯ等のアルカリ土類金属酸化物、等が挙げられる。これらの乾燥剤は、水との反応によって膨張する為、錠剤等に成型した場合でも成型体の形状が崩れ、１〜３μｍ程度の微粉を生じる場合がある。この場合でも、容器１を用いることで固形物Ａの漏れを防ぐことができる。
【００２７】
酸素吸収剤（脱酸素剤）は、酸化反応または吸着などにより空気中の酸素を除去する機能を有している組成物であれば特に限定されない。例えば、鉄粉等の金属粉、鉄化合物等の還元性無機物質、多価フェノール類、多価アルコール類、不飽和脂肪酸化合物、アスコルビン酸又はその塩等の還元性有機物質、炭素−炭素不飽和結合を有する樹脂及び／又はオリゴマーと遷移金属触媒を含有する樹脂組成物、又は金属錯体等を酸素吸収反応の主剤とする酸素吸収剤組成物が用いられる。これらの中でも、脱酸素性能に優れた鉄粉を主剤とする酸素吸収剤組成物が好ましく、特に主剤の鉄粉と酸素吸収反応を促進する金属ハロゲン化物からなる酸素吸収組成物が、脱酸素性能に優れる。酸素吸収剤組成物に用いられる鉄粉としては、脱酸素反応を起こすことができるものであれば特に制限はなく、通常酸素吸収剤として用いられる鉄粉が使用できる。酸素吸収剤組成物に用いられる金属ハロゲン化物には特に制限はなく、例えば、アルカリ金属又はアルカリ土類金属の塩化物、臭化物、ヨウ化物等を挙げることができる。
【００２８】
例えば容器１の製造時には、図２に示すように容器本体１０内に、乾燥剤、酸素吸収剤などの粒状の固形物Ａが収容される。使用時の固形物Ａの膨張を考慮し、固形物Ａの収容量は、例えば容器１の容量の６０％以下に設定されている。次に、図５に示すように蓋体１１が容器本体１０の入口部２０に嵌め込まれる。このとき、蓋体１１の内周面の第２の突条部４０が、容器本体１０の入口部２０の第１の突条部３０を乗り越え、第１の突条部３０の下側に嵌り込む（図５の右側の突条部３０）。こうして、第１の突条部３０の下面３０ａに第２の突条部４０の上面４０ａが引っ掛かり、蓋体１１が容器本体１０から外れないようになる。また、固形物Ａ、或いは固形物Ａが微細化したものが容器１の内部から外部に漏れなくなる。さらに、第２の突条部４０の切欠き５０のある部分には、蓋体１１の内周面と容器本体１０の外周面との間に通路ができ、容器１の外部と内部が切欠き５０を通じて通気可能になる（図５の左側の突条部３０周辺）。
【００２９】
固形物Ａが収容された固形物含有容器は、例えば食品、医薬品、医療品などが入ったボトルに入れられて、乾燥剤や酸素吸収剤として使用される。
【００３０】
本実施の形態によれば、蓋体１１の第２の突条部４０と容器本体１０の第１の突条部３０が互いに係合して、容器本体１０と蓋体１１とが嵌合し、さらに第２の突条部４０に切欠き５０が形成され、容器１の外部と内部が切欠き５０を通じて通気可能であるので、気体を吸収する固形物Ａを収容でき、外部との間の通気性を確保しつつ、径の小さい或いは径が小さくなるような固形物Ａを漏れないように収容できる。
【００３１】
ところで、蓋体を容器本体に嵌合させるような容器の場合、蓋体が外れて内容物がこぼれないように、蓋体と容器本体の間の隙間を狭くし、蓋体を容器本体にきつく嵌合する必要がある。しかし、隙間を狭くすると、その分蓋体と容器本体が密着して通気性が低下してしまう。本実施の形態によれば、切欠き５０を形成して通気性を確保するので、蓋体１１と容器本体１０の密着性を確保して内容物の漏れを防止しつつ、通気性も確保できる。
【００３２】
切欠き５０が複数個所であって周方向に等間隔に形成されているので、容器１の内部と外部の間の通気性を、容器１の周方向に偏りなく確保できる。
【００３３】
第１の突条部３０が平坦な下面３０ａを有し、第２の突条部４０が、第１の突条部３０の下面３０ａに係合する平坦な上面４０ａを有しているので、第１の突条部３０と第２の突条部４０の係合を適切に行うことができる。これにより、固形物Ａの漏れを適切に防止しつつ、蓋体１１が容器本体１０から外れるのを防止できる。
【００３４】
第１の突条部３０は、下面３０ａの外側縁から上方に行くにつれて次第に径が小さくなるテーパ状の側面３０ｂを有しているので、垂直面の場合に比べて、蓋体１１の内周面と容器本体１０の外周面との間の隙間が広くなって通気性を向上できる。また、垂直面に比べて、第１の突条部３０の強度が向上するので、使用中に第１の突条部３０が破損して蓋体１１が外れることを防止できる。
【００３５】
ところで、上記実施の形態では、第２の突条部４０が垂直な側面４０ｃを有していたが、図６に示すように上面４０ａの内側縁から下方に行くにつれて次第に径が小さくなるテーパ状の側面４０ｃを有していてもよい。この場合、第２の突条部４０の強度を向上できるので、使用中に第２の突条部４０が破損して蓋体１１が外れることを防止できる。また、垂直面に比べて、蓋体１１の内周面と容器本体１０の外周面との間の隙間が大きくなるので、容器１の外部と内部の間の通気性をさらに向上できる。特に、図６のように第１の突条部３０の側面３０ｂと第２の突条部４０の側面４０ｃの両方がテーパ状の場合には、これらの効果が大きくなる。
【００３６】
また、上記実施の形態では、第１の突条部３０がテーパ状の側面３０ｂを有していたが、図７に示すように第１の突条部３０が、垂直な側面３０ｂと平坦な上面３０ｃを有していてもよい。また、この場合に、第２の突条部４０は、図８に示すように上面４０ａの内側縁から下方に行くにつれて次第に径が小さくなるテーパ状の側面４０ｃを有していてもよい。
【００３７】
さらに、以上の実施の形態では、第２の突条部４０に切欠き５０が形成されていたが、図９、図１０に示すように第１の突条部３０に切欠き６０が形成されていてもよい。また、図１１に示すように第２の突条部４０と第１の突条部３０の両方に切欠き５０、６０が形成されていてもよい。この場合、第２の突条部４０の切欠き５０と第１の突条部３０の切欠き６０の周方向の数、位置が異なるようにしてもよい。なお、第１の突条部３０に切欠き６０を形成する場合の第１の突条部３０や第２の突条部４０の形状は、上述したテーパ状のもの側面を有するものや垂直の側面を有するものであってもよい。
【００３８】
以上、添付図面を参照しながら本発明の好ましい実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３９】
例えば以上の実施の形態では、固形物Ａの例として、水蒸気と反応して膨張する乾燥剤又は酸素吸収剤を主に示したが、それらに限定されるものではなく、水蒸気と反応して膨張する他の固形物や、水蒸気以外の気体と反応して膨張する固形物にも本発明は適用できる。また、複数種類の固形物Ａが容器１に収容される場合も本発明は適用できる。また、容器１の外形も円柱状である必要はなく、角柱状であってもよい。
【実施例】
【００４０】
（脱酸素剤組成物の調製）
水２５ｇに塩化カルシウム２５ｇを溶解させた水溶液を粉末ゼオライト１５０ｇに含浸させ保湿剤を作成した。該保湿剤に、鉄粉（４５μｍ以下の粒子を５０質量%含む）１００ｇ、活性炭１ｇを加え、乳鉢で混合し、脱酸素剤組成物Ａを得た。
【００４１】
（実施例１）
脱酸素剤組成物Ａを、本発明に係る図２に示す容器１と同様の構成を有するサンプル（本体と蓋体の隙間０．２ｍｍ）に１．２ｇ充填した。サンプルには、寸法が径φ１１ｍｍ×高さＨ１９ｍｍで、材質がポリプロピレンのものを使用した。脱酸素剤組成物Ａを容器に充填後、直ちに測定を行ったものを０時間放置品、充填後２５℃大気下に４時間放置したものを４時間放置品とし、それらの脱酸素性能を比較した。具体的には、温度２５℃、湿度調整なしの条件で、空気量１５０ｍＬのガスバリア性密閉容器内にそれぞれのサンプルを放置し、酸素濃度０．１体積％未満に到達した時間（脱酸素時間）を測定した。また、温度２５℃、湿度調整なしの条件で、空気量１０００ｍｌのガスバリア性密閉容器内にそれぞれのサンプルを放置し、２４時間後のサンプルの酸素吸収量を測定した。さらに、該容器５個をポリ袋に入れ、手で１５秒間上下に振って、固形物漏れの有無を目視で評価した。これらの結果を表１に示す。
【００４２】
（実施例２〜４）
本体と蓋体の隙間を０．２ｍｍから、表１に示すものに変更した以外は実施例１と同様にして脱酸素性能評価と固形物漏れ有無の評価を行った。これらの結果を表１に示す。
【表１】
2015003753.tif 000003
【００４３】
実施例１、２では、４時間放置品でも劣化しておらず最適な脱酸素性能が得られた。実施例１、２では、実施例３に比べ蓋体１１と容器本体１０との隙間が大きいため、酸素吸収速度がより速い傾向が認められた。また、実施例１、２では、実施例４に比べ蓋体１１と容器本体１０との隙間が小さいため、４時間放置品においても高い酸素吸収性能を維持していた。
【産業上の利用可能性】
【００４４】
本発明の容器は、気体を吸収する固形物を収容でき、外部との間の通気性を確保しつつ、径の小さい或いは径が小さくなるような固形物を漏れないように収容する際に有用である。
【符号の説明】
【００４５】
１  容器
１０  容器本体
１１  蓋体
２０  入口部
２１  基部
３０  第１の突条部
３０ａ  下面
３０ｂ  側面
４０  第２の突条部
４０ａ  上面
４０ｂ  下面
４０ｃ  側面
５０  切欠き
Ａ  固形物
【図１】
2015003753.tif 000004
【図２】
2015003753.tif 000005
【図３】
2015003753.tif 000006
【図４】
2015003753.tif 000007
【図５】
2015003753.tif 000008
【図６】
2015003753.tif 000009
【図７】
2015003753.tif 000010
【図８】
2015003753.tif 000011
【図９】
2015003753.tif 000012
【図１０】
2015003753.tif 000013
【図１１】
2015003753.tif 000014
【図１２】
2015003753.tif 000015